(57)【特許請求の範囲】
【請求項１】
複数の液晶シャッタ素子から構成される少なくとも１列の光シャッタ、少なくとも３色の光を発光するＬＥＤ光源、及び前記ＬＥＤ光源からの光をライン状にして前記光シャッタに入射させる光学手段を有し、前記複数の液晶シャッタ素子毎の透過タイミングを制御して前記ＬＥＤ光源からの光を感光体上へ照射して画像形成を行う光ヘッドと、
前記感光体を前記光ヘッドに対して相対的に移動させる移動手段と、
前記光シャッタを透過した前記ＬＥＤ光源からの前記３色ごとの光量を検出するための受光素子と、
前記受光素子からの検出信号に基づいて、前記ＬＥＤ光源の光量調整を行う光量調節手段と、
前記受光素子からの検出信号に基づいて、前記光シャッタを透過する光が前記感光体によって遮断されることによる前記検出信号の変化によって、前記感光体の先端を検知する検知手段と、
を有することを特徴とする光プリンタ。
【請求項２】
前記感光体は、前記移動手段による移動方向先端部分及び移動方向後端部分に非感光部を有する請求項１に記載の光プリンタ。
【請求項３】
さらに、前記移動手段による前記感光体の移動開始から所定時間以内に前記感光体の先端を検知しない場合にはエラー信号を発生するエラー信号発生手段を有する請求項１に記載の光プリンタ。
【請求項４】
前記光シャッタは、液晶シャッタである請求項１〜３の何れか一項に記載の光プリンタ。
【請求項５】
前記感光体は、自己現像液を内蔵したインスタントフィルムである請求項１〜４の何れか一項に記載の光プリンタ。
【発明の詳細な説明】
【０００１】
【発明の属する技術分野】
本発明は、感光体に露光を行う光プリンタに関し、特に光ヘッドからの露光用の光を検知する受光素子を有する光プリンタに関するものである。
【０００２】
【従来の技術】
従来、光シャッタを透過した光源からの光を用いて感光体上に画像形成を行う光プリンタにおいては、光源からの直接光を用いて光源の光量の補正（キャリブレーション）を行っていた。しかしながら、光源からの光は、光シャッタを透過することによって光量が変化してしまう。また、光源光量の変化と、光シャッタを透過した光の光量の変化は、必ずしも線形なものではなかった。したがって、光源光量の調整だけでは、実際に画像形成に寄与する感光体へ直接照射される光の光量を、うまく調整することができなかった。
【０００３】
また、感光体上に画像形成する場合には、感光体上における露光開始位置を正確に定める必要がある。そこで、従来の光プリンタにおいては、感光体の搬送開始位置近傍に、感光体の位置検出用のセンサを設け、そのセンサからの出力信号に基づいて、感光体の搬送開始を検知し、露光開始位置までの時間等を予想して、露光の開始タイミングを計っていた。しかしながら、感光体の搬送が正確に行われない場合には、感光体の露光開始位置への到達時刻が変化し、感光体上の露光開始位置がずれてしまうという欠点があった。また、感光体の搬送開始を検知するために、特別のセンサを設けなければならないため、それだけコストがアップするという問題もあった。
【０００４】
【発明が解決しようとする課題】
本発明は、上記の問題点を解消し、正確な感光体の露光位置合わせと、感光体への露光量の調整を行うことを可能とした光プリンタを提供することを目的とする。
【０００５】
【課題を解決するための手段】
上記課題を解決するために、本発明に係わる光プリンタは、複数の液晶シャッタ素子から構成される少なくとも１列の光シャッタ及び光源を有し、複数の液晶シャッタ素子毎の透過タイミングを制御して光源からの光を感光体上へ照射して画像形成を行う光ヘッドと、感光体を光ヘッドに対して相対的に移動させる移動手段と、光シャッタを透過した光源からの光を検出するための受光素子とを有することを特徴とする。
【０００６】
また、受光素子からの検出信号に基づいて、光源の光量調整を行う光量調節手段を有することが好ましい。
さらに、光源は、少なくとも３色の光を発光し、受光素子は、３色ごとの光量を検出することが好ましい。
さらに、感光体は、移動手段による移動方向先端部分及び移動方向後端部分に非感光部を有することが好ましい。
【０００７】
さらに、受光素子からの検出信号に基づいて、光シャッタを透過する光が感光体によって遮断されることによる検出信号の変化によって、感光体の先端を検知する検知手段を有することが好ましい。
さらに、移動手段による感光体の移動開始から所定時間以内に感光体の先端を検知しない場合にはエラー信号を発生するエラー信号発生手段を有することが好ましい。
【０００８】
さらに、光源はＬＥＤであり、光ヘッドはＬＥＤからの光をライン状にして光シャッタに入射させる光学手段を有し、光シャッタは、液晶シャッタであることが好ましい。
さらに、感光体は、自己現像液を内蔵したインスタントフィルムであることが好ましい。
【０００９】
【発明の実施の形態】
最初に、本発明に係わる光プリンタに用いられる感光体である、インスタントフィルム１００及びインスタントフィルム１００が複数枚収納されたフィルムカートリッジ１２０について説明する。
図１にインスタントフィルム１００の外観を示す。インスタントフィルム１００は、その一方の先端部に自己現像液を含む現像液パック１０１を有しており、暗所において、感光面１０２を露光後、先端部の現像液パック１０１を絞って、感光面１０２全体に自己現像液を行き渡らせ、現像が行われる構成になっている。また、図１に示すように、現像液パック１０１があることから、インスタントフィルム１００の先端部分には、感光面１０２を設けることができない。
【００１０】
図２にフィルムカートリッジ１２０の外観を示す。フィルムカートリッジ１２０は、大開口部１２１と小開口部１２２を有し、小開口部１２２からは、収納されているインスタントフィルム１００の後端部に接触することができるように構成されている。また、フィルムカートリッジ１２０の両サイドには、エッジ部１２３及び１２４が設けられ、図中の下部には、電池１２７が設けられている。電池１２７からは電極１２５及び１２６を介して電力の供給を行うことができる。さらに、インスタントフィルム１００は、小開口部１２２を利用してフィルムカートリッジ１２０から取出され、その後現像等のために後述する搬送部２２０によって搬送される。
【００１１】
図３を用いて、本発明に係わる光プリンタ２００について説明する。図３は、光プリンタ２００の概略中央断面図である。光プリンタ２００は、光ヘッド部２１０、搬送部２２０、収納部２６０、及び制御回路６００等から構成されている。
光ヘッド部２１０は、光源である３色（略赤色、略緑色及び略青色）のＬＥＤが並べて近接配置されたＬＥＤユニット２１１、平面と円柱状のレンズ面を持つトロイドレンズ２１３、光源から扇状に照射してくる光線２１７を略平行光束にして反射する放物面鏡２１２、再びトロイドレンズ２１３を通過して感光面１０２上の露光ポイントＰでシャープな線状に収束されることとなった光線２１７を９０度下向きに反射する反射鏡２１４、光源からの光線２１７を選択的に透過又は遮断するための液晶光シャッタアレイ２１５、及びマスク部材２１６を有している。なお、液晶光シャッタアレイ２１５は、インスタントフィルム１００の感光面１０２上に、６４０画素×６４０ラインのカラー潜像を形成することができるように構成されている。また、本実施例では、１画素の縦横の長さは、それぞれ１６２μｍである。なお、潜像形成方法については後述する。
【００１２】
搬送部２２０は、フィルムカートリッジ１２０が収納された収納部２６０に隣接して設けられおり、感光体であるインスタントフィルム１００を搬送ローラ対２２１ａ及び２２１ｂ、及び現像ローラ対２２２ａ及び２２２ｂによって矢印Ｚの方向に搬送し、排出する。インスタントフィルム１００は、搬送される間に光ヘッド部２１０により露光ポイントＰにおいてその感光面１０２が露光されて潜像が形成される。
【００１３】
露光ポイントＰの位置には、検出センサ５００が設けられており、ＬＥＤユニット２１１の各ＬＥＤ発光素子の発光光量調整や、インスタントフィルム１００の先端検出を行うことができるように構成されている。また、検出センサ５００は、Ｒ光受光素子５０１、Ｇ光受光素子５０２及びＢ光受光素子５０３を有している。
【００１４】
インスタントフィルム１００の搬送方向下流側の先端部には前述した現像液パック１０１が配置され、現像ローラ対２２２ａ及び２２２ｂによって現像液パック１０１が絞られて、現像液パック１０１から自己現像液がインスタントフィルム１００の露光後の感光面１０２上に、徐々に行き渡るように構成されている。したがって、光プリンタ２００から排出されたインスタントフィルム１００は、所定の時間経過後に潜像の現像が完了し、カラー画像が発色されることとなる。
【００１５】
なお、自己現像液が感光面１０２と反応することによって、現像が開始されることから、未露光の感光面１０２に自己現像液が接触しないようにすることが重要である。したがって、後述するように、搬送ローラ対２２１ａ及び２２１ｂは、その中央部分の径が小さく構成され、搬送ローラ対によっては、現像液パック１０１が絞られないように構成されている。
【００１６】
また、搬送ローラ２２１ａの軸には、ロータリーエンコーダ２５０が設けられており、ロータリーエンコーダ２５０から発生されるエンコーダパルスを用いて、光ヘッド２１０による露光タイミングが取られるように構成されている。
搬送ローラ対２２１ａ及び２２１ｂ、及び現像ローラ対２２２ａ及び２２２ｂは、モータＭによって駆動されるように構成されている。また、モータＭの駆動軸にはＭロータリーエンコーダ２５５が設けられており、Ｍロータリーエンコーダ２５５から発生されるＭエンコーダパルスを用いてモータＭの回転制御がなされている。
【００１７】
収納部２６０には、ホルダ２６１に保持されたフィルムカートリッジ１２０が収納されるように構成されている。
図４は、ロータリーエンコーダ２５０を用いて発生したエンコーダパルス（ａ）、データ転送のタイミング（ｂ）、ＬＥＤユニット２１１へ供給されるＬＥＤ発光パルス（ｃ）及び液晶シャッタアレイ２１５へ供給される各液晶シャッタ素子の開閉制御を行うためのＬＣＳパルス（ｄ）〜（ｆ）を示した図である。
【００１８】
液晶シャッタアレイ２１５は、インスタントフィルム１００の搬送方向（図３の矢印Ｚ方向）に直行する方向に、それぞれが独立に開閉動作可能な６４０個の液晶シャッタ素子を１列のみ備えている。各液晶シャッタ素子は、電圧が印加されていない状態（０Ｖ）で光を透過し、所定の電圧が印加された状態で光を遮断する、いわゆるノーマリ白タイプの液晶から構成されている。
【００１９】
ＬＥＤユニット２１１の各ＬＥＤは、ＲＧＢが時分割で発光され、各ＬＥＤによって発生された露光光束はそれぞれ液晶シャッタアレイ２１５の液晶シャッタ素子を通過して、感光面１０２上の別々の位置に所定のピッチ間隔で結像する。
図４（ｂ）に示すように、１つ前のエンコーダパルスに対応して、各液晶シャッタ素子を駆動するための画像データを、液晶シャッアレイ２１５へ転送しておく。そして、エンコーダパルス（ａ）に同期して、図４（ｃ）に示すように、ＬＥＤ発光パルスを発生し、Ｒ、Ｇ、Ｂの順番を繰り返しながら、予め決められた時間間隔で、ＬＥＤユニット２１１の各ＬＥＤを発光させる。さらに、エンコーダパルス（ａ）に同期して、予め転送されている画像データに基づいたＬＳＣパルスを発生して各液晶シャッタ素子の開閉動作を制御する。
【００２０】
ロータリーエンコーダ２５５は、搬送ローラ２１１ａと同軸上に設けられているため、エンコーダパルスは、インスタントフィルム１００の搬送と同期している。したがって、エンコーダパルスと同期してＬＥＤ発光パルス及びＬＣＳパルスを発生させることによって、搬送ムラによる画質の劣化を防止することができる。
【００２１】
図４（ｄ）のＬＣＳパルスは、各色ＬＥＤの発光時の全期間中、所定の電圧を印加して、液晶シャッタ素子を閉じる信号である。この場合、インスタントフィルム１００の感光面１０２では現像後、黒色が発色する。図４（ｅ）のＬＣＳパルスは、各色ＬＥＤの発光時の半分の期間中、所定の電圧を印加して、液晶シャッタ素子を閉じる信号である。この場合、インスタントフィルム１００の感光面１０２では現像後、灰色が発色する。図４（ｆ）のＬＣＳパルスは、各色ＬＥＤの発光時の全期間中、電圧を印加せず、液晶シャッタ素子を開く信号である。この場合、インスタントフィルム１００の感光面１０２では現像後、白色が発色する。このように、液晶光シャッタアレイ２１５の各液晶シャッタ素子に印加される電圧の印加時間を制御することで、本実施形態では、各色について、６４階調を表現することを可能としている。
【００２２】
また、各色の露光の終わりには、正負一対のパルスを液晶光シャッタアレイ２１５の全液晶シャッタ素子に印加して、各液晶シャッタ素子の直前の画像履歴に影響されないような配慮がなされている。さらに、液晶の劣化を防止するために、液晶光シャッタアレイ２１５に印加される電圧の極性を一回毎に反転させている。なお、液晶光シャッタアレイ２１５に印加される電圧の極性が変化しても、各液晶シャッタ素子の開閉動作に変化はないもとする。
【００２３】
図５は、インスタントフィルム１００への潜像形成プロセスを説明するための図である。ここで、インスタントフィルム１００は、矢印Ｚの方向に搬送部２２０によって所定の搬送速度で搬送されているものとする。また、インスタントフィルム１００は、Ｒ光に反応して潜像を形成するＲ層、Ｇ光に反応して潜像を形成するＧ層、及びＢ光に反応して潜像を形成するＢ層を有しているものとする。光ヘッド部２１０によって照射されるＲ、Ｇ、及びＢの各光は、図５（ａ）に示すように、インスタントフィルム１００の感光面１０２上の露光ポイントＰに各々幅Ｗの像を、所定ピッチ間隔で結像する。
【００２４】
図５（ａ）は、Ｒ光による露光が開始された時点を示している。
図５（ｂ）は、Ｇ光の露光が開始された時点を示している。なお、所定の時間のＲ光の点灯と、インスタントフィルム１００の移動によって、Ｒ光によるＲ層中の区間イの露光が完了している。
図５（ｃ）は、Ｂ光の露光が開始された時点を示している。なお、所定の時間のＧ光の点灯と、インスタントフィルム１００の移動によって、Ｇ光によるＧ層中の区間ロの露光が完了している。
【００２５】
図５（ｄ）は、再度Ｒ光の露光が開始された時点を示している。なお、所定の時間のＢ光の点灯と、インスタントフィルム１００の移動によって、Ｂ光によるＢ層中の区間ハの露光が完了している。
同様に、図５（ｅ）ではＲ光による区間ニの露光が完了し、図５（ｆ）ではＧ光による区間ホの露光が完了している。同様の手順を繰り返すことによって、インスタントフィルム１００上に潜像が形成される。
【００２６】
次に、図６及び７を用いて、本発明に係わる光プリンタ２００の詳細構造について説明する。図６は、光プリンタ２００の斜視図を示し、図７は、図６の図中上方からみた平面図を示している。
Ｍは、制御回路６００によって、正逆回転されるモータである。モータＭは、ギアボックス２３４を介してギア２３２を正逆回転させる。２３０は、搬送ローラ２２１ｂと同軸に設けられているギア、２３１は現像ローラ２２２ａと同軸に設けられているギアである。図に示される様に、ギア２３２はギア２３１と、ギア２３１はギア２３０と噛み合わされている。モータＭの正逆回転により、ギア２３２及びギア２３１を介して現像ローラ対２２２ａ及び２２２ｂが駆動され、さらにギア２３０を介して搬送ローラ対２２１ａ及び２２１ｂが駆動されるように構成されている。
【００２７】
２５０は搬送ローラ２２１ａと同軸に設けられたロータリーエンコーダ、２５１はエンコーダパルス発生手段である。エンコーダパルス発生手段２５１は、ロータリーエンコーダ２５０が搬送ローラ２２１ａの回転と同期して回転するのに応じて、エンコーダパルス（図４（ａ）参照）を発生するように構成されている。なお、インスタントフィルム１００の搬送と同期した正確なパルスが発生できれば、他の構成を採用することも可能である。
【００２８】
１２０は前述したフィルムカートリッジであり、１２５及び１２６はフィルムカートリッジ１２０に設けられた電池１２７の電極である。電極１２５及び１２６は、接点６０７と接続して電力を制御回路６００等に供給する。
ホルダ２６１は、フィルムカートリッジ１２０を保持しており、筐体２０１に設けられた軸２０６ａ及び２０６ｂを中心にして回動することができるように構成されている。ホルダ２６１の上面には、係止部材２６２が設けられており、係止部材２６２の先端部２６４及び２６５が筐体２０１に設けられた突部２０３ａ及びｂと係合して、ホルダ２６１を筐体２０１に係止している。
【００２９】
係止部材２６２は、軸２６３を中心にして、図７中で半時計回り方向に回転することができ、回転することによって、係止部材２６２の先端部２６４及び２６５と突部２０３ａ及びｂとの係合が解除されて、ホルダ２６１が軸２０６ａ及びｂを中心して回動することができるようになる。また、筐体２０１には、突部２０４ａ及び２０４ｂが設けられており、ホルダ２６１に設けられた係合部材２７１ａ及び２７１ｂと係合して、ホルダ２６１が所定の範囲以上に回動しないように構成されている。また、ホルダ２６１が回動することによって、フィルムカートリッジ１２０の着脱が容易に行えるように構成されている。
【００３０】
突起２６６は、係止部材２６２に固定されており、ホルダ２６１に設けられた板バネ２６７の先端部と係合している。したがって、係止部材２６２は、突起２６６を介して板バネ２６７から図７中で時計回りの付勢力を受けている。なお、係止部材２６２は、ホルダ２６２に設けられたストッパ２６８によって、図７に示される位置よりも時計回りに回転することができない。ここで、係止部材２６２が、図７中で、半時計回りに回転すると、板バネ２６７によって付勢力が働き、係止部材２６２を時計回りに回転させるような力が働く。したがって、係止部材２６２の先端部２６４及び２６５と突部２０３ａ及びｂとの係合を解除するために、係止部材２６２を半時計回り方向に回転させても、板バネ２６７によって、係止部材２６２を図７の位置に自動的に復帰させる。
【００３１】
３００は、取出部材であって、一方の端部に設けられたピックアップ部材４００によって、フィルムカートリッジ１２０からインスタントフィルム１００を取出す。取出部材３００の他端には、後述するクラッチ機構が設けられている。クラッチ機構は、ギア２３０の表面に設けられた突部２３５と協働して、ギア２３０の正逆回転に応じて、取出部材３００を矢印Ｙの方向に往復移動させる。
【００３２】
取出部材３００には、開口部３２０が設けられおり、筐体２０１の突部２０２と協働して、取出部材の往復移動を規制している。また取出部材３００には、旋回部材３５０が軸３４０を中心に回転自在に設けられている。また、取出部材３００には、突起３３０が設けられており、突起３３０と旋回部材３５０との間には、バネ３４０が取付されている。さらに、旋回部材３５０は、筐体２０１に設けられた円形の突部２０５によって規制されながら、旋回できるように構成されている。
【００３３】
図８及び図９を用いて、検出センサ５００による、インスタントフィルム１００の先端部検出等について説明する。図８は、ちょうど取出部材３００の爪４００が、インスタントフィルム１００の後端部に接触した状態を示している。
インスタントフィルム１００がセンサ５００の位置に到達する充分前から、ＬＥＤユニット２１１の各色ＬＥＤを順次発光させ、ＲＧＢ毎に線状の露光光束２１７を発生させる。ＲＧＢ毎の露光光束２１７をセンサ５００の各受光素子５０１〜５０３で受光し、受光光量に対応した出力電圧と基準電圧とを比較して、各ＬＥＤへの印加電圧を調整し、所望の露光光量が露光ポイントＰにおいて得られるように調整する。センサ５００のＲ光受光素子５０１、Ｇ光受光素子５０２及びＢ光受光素子５０３は、図５に示す各色の露光光束の結像位置のずれに合わせて配置されている。なお、結像位置のずれによる影響が少ない場合には、１つの受光素子を用いて各色の露光光束を受光するようにしても良い。
【００３４】
露光光束２１７は、ＬＥＤから出射された後、各種光学素子、特に液晶シャッタアレイ２１５を通過してからインスタントフィルム１００上へ照射される。各種光学素子、特に液晶シャッタアレイ２１５の透明度はゼロではないので、露光光束の光量はある程度減衰し、且つ減衰の仕方は線形なものではない。したがって、ＬＥＤのから出射された直後の光の光量を検出してＬＥＤの発光量を調整したのでは、実際の露光光束の光量を正確に定めることができない。そこで、インスタントフィルム１００を露光する露光光束の光量を各色のＬＥＤ毎に調整することとしたものである。なお、光量調整は、インスタントフィルム毎に行っても良いし、フィルムカートリッジが交換される毎に行うようにしても良い。また、光量補正は、後述するプリンタＣＰＵ６０１によって実行される。
【００３５】
図８では、ギア２３１と同軸にギア２４１が設けられ、現像ローラ２２２ａと同軸に設けられたギア２４２と噛み合わされている。また、搬送ローラ２２１ａと同軸にギア２４３が設けられ搬送ローラ２２１ｂと同軸に設けられたギア２４４と噛み合わされている。したがって、モータＭによってギア２３１が回転されると、ギア２４１及び２４２を介して搬送ローラ２２２ａが駆動され、合様にギア２３０、２４３および２４４を介して搬送ローラ２２１ｂが駆動される。この状態からモータＭが正回転すると、ギア２３２、ギア２３１及びギア２３２が矢印の方向に回転し、ギア２３０に設けられた突部２３５が回転する。取出部材３００に設けられた第２カム３２０は、ストッパ３２３によって、回転することができないので、取出部材３００は突部２３５の回転に応じて、インスタントフィルム１００の後端部を押し出すように移動する。
【００３６】
取出部材３００がインスタントフィルム１００を押し出し、ちょうどインスタントフィルム１００の先端がセンサ５００の位置になった状態を図９に示す。各ＬＥＤの光量調整後、所定の一色の露光光束２１７（ここでは、最もインスタントフィルムの搬送方向上流側に収束されるＲ光による）を発生させ続けておき、インスタントフィルム１００の先端によって、露光光束２１７が遮られたことをＲ光受光素子５０１で検知する。インスタントフィルムの先端部には、現像液パック１０２が備えられているので、その部分には感光面１０２を設けることができない。したがって、インスタントフィルム１００の先端部に露光光束を照射しても画像に大きな影響を及ぼす恐れは少ない。
【００３７】
このように、インスタントフィルム１００の先端がＲ光受光素子の位置に到達し、Ｒ色のＬＥＤによる露光光束を遮ると、後述するプリンタＣＰＵ６０１は、インスタントフィルム１００の先端が、Ｒ受光素子５０１の位置に到達したことを検出することができる。Ｒ光受光素子５０１の位置のインスタントフィルム１００の先端が到達してから、インスタントフィルム１００の感光面１０２が露光ポイントＰに到達するまでのエンコーダパルスのカウント数等を予め定めておけば、正確な露光タイミングで露光を開始することが可能となる。
【００３８】
図１０は、光プリンタの制御回路６００の概略を示すブロック図である。図１０において、６０１はプリンタＣＰＵ、６０２は第１のＤＣ／ＤＣコンバータ、６０３は第２のＤＣ／ＤＣコンバータ、６０４は取出部材３００のホームポジションを検出するためのホームセンサ、６０５はフィルムカートリッジ１２０の近傍に設けられた温度センサ、６０６はフィルムカートリッジ１２０の電池１２７の電圧を検出するための電圧センサである。また、２１１はＬＥＤユニット、２１５は液晶光シャッタアレイ、Ｍはモータ、２５６はモータＭの駆動軸に設けられているエンコーダ２５５からＭエンコーダパルスを発生するＭエンコーダパルス発生手段、２５１はロータリーエンコーダ２５０からローラリーエンコーダパルスを発生するエンコーダパルス発生手段である。さらに、検出センサ５００のＲ光受光素子５０１、Ｇ光受光素子５０２及びＢ光受光素子５０３からの出力も、プリンタＣＰＵ６０１へ入力されている。
【００３９】
第１のＤＣ／ＤＣコンバータ６０２は、フィルムカートリッジ１２０の電池１２７の電圧をプリンタＣＰＵ６０１の駆動電圧（３Ｖ）に変換してプリンタＣＰＵ６０１に印加している。第２のＤＣ／ＤＣコンバータ６０３は、フィルムカートリッジ１２０の電池１２７の電圧を、ＬＥＤユニット２１１、液晶光シャッタアレイ２１５及びモータＭの駆動電圧にそれぞれ変換して、各装置に印加している。なお、第２のＤＣ／ＤＣコンバータ６０３から各装置への電圧の印加は、プリンタＣＰＵ６０１からの制御信号６３０によって、制御される。
【００４０】
プリンタＣＰＵ６０１は、Ｍエンコーダパルス発生手段２５６からのＭエンコーダパルスに基づいて、モータＭを所定の回転数で回転させるように制御している。また、プリンタＣＰＵ６０１は、ロータリーエンコーダパルス発生手段２５１からのエンコーダパルスに基づいて、ＬＥＤユニット２１１及び液晶光シャッタアレイ２１５の制御を行っている（図４参照）。
【００４１】
ここで、プリンタＣＰＵ６０１は、前述したように、インスタントフィルム１００が露光ポイントＰに到達しない段階で、ＬＥＤユニット２１１を制御して各ＬＥＤを発光させ、Ｒ光受光素子５０１、Ｇ光受光素子５０２及びＢ光受光素子５０３からの出力信号を基準値等と比較することによって、各ＬＥＤへの印加電圧を調整して、各色毎に露光光束の光量調整を行う。また、プリンタＣＰＵ６０１は、ＬＥＤユニット２１１を制御して、所定のＬＥＤを発光させ（例えばＲ）、発光させたＬＥＤに対応した受光素子（例えばＲ受光素子５０１）の出力信号を検出して、インスタントフィルム１００の先端が、受光素子の配置位置に到達したことを検知して、その後の画像形成の為の露光タイミングを決定する。露光タイミングは、先端が検知されてから、予め定められたエンコーダパルス数を計測して、適切な露光開始のタイミングを得ることが可能となる。
【００４２】
上記の説明では、感光体として、インスタントフィルム１００を用いたが、これらに限られることなく、コンベンショナルな感光材料（ネガ又はポジフィルム、ネガ又はポジペーパ）等の、様々な感光体を用いることができる。その場合、感光体に応じて、露光プロセスを適宜変更することが望ましい。
【００４３】
【発明の効果】
本発明に従えば、感光体に直接露光される露光光束を検出して光源の光量調整を行うことから、より正確に露光光束の光量を調整することが可能となる。
また、感光体の先端を露光光束によって検知して、露光開始タイミングを決定することから、正確に画像形成を行うことが可能となる。
【図面の簡単な説明】
【図１】インスタントフィルムの外観を示す図である。
【図２】フィルムカートリッジの外観を示す図である。
【図３】本発明に係わる記録媒体搬送装置の概略断面図である。
【図４】（ａ）はエンコーダパルスを、（ｂ）はデータ転送のタイミングを、（ｃ）はＬＥＤ発光パルスを、（ｄ）〜（ｆ）はＬＳＣパルスを示す図である。
【図５】画像プロセスの概要を示す図である。
【図６】本発明に従った、記録媒体搬送装置の斜視図である。
【図７】本発明に従った、記録媒体搬送装置の平面図である。
【図８】インスタントフィルムと検出センサとの関係を説明するための図である。
【図９】インスタントフィルムと検出センサとの関係を説明するための図である。
【図１０】制御回路の概略を示すブロック図である。
【符号の説明】
１００…インスタントフィルム
１２０…フィルムカートリッジ
２００…記録媒体搬送装置
２１０…光ヘッド部
２１１…ＬＥＤ光源
２１５…液晶光シャッタアレイ
２２０…搬送部
２２１ａ、２２１ｂ…搬送ローラ
２２２ａ、２２２ｂ…現像ローラ
２５１…ロータリーエンコーダパルス発生手段
２５６…Ｍエンコーダパルス発生手段
２６０…収納部
２６１…ホルダ
３００…取出部材
４００…爪
５００…検出センサ
Ｍ…モータ
【図１】
0005164302.tif 000002
【図２】
0005164302.tif 000003
【図３】
0005164302.tif 000004
【図４】
0005164302.tif 000005
【図５】
0005164302.tif 000006
【図６】
0005164302.tif 000007
【図７】
0005164302.tif 000008
【図８】
0005164302.tif 000009
【図９】
0005164302.tif 000010
【図１０】
0005164302.tif 000011